(57)【要約】  蛍光体ホイール（１０）は、第１主面（２１）、第１主面（２１）の反対側の第２主面（２２）、及び、開口部（２３）を有する基板（２０）と、第１主面（２１）に設けられた蛍光体層（４０）と、第２主面（２２）に設けられたフィン（３１）とを備える。フィン（３１）は、蛍光体層（４０）よりも基板（２０）の中心寄りに位置し、開口部（２３）は、蛍光体層（４０）とフィン（３１）との間に位置する。
2017154048.tif 000002
【特許請求の範囲】
【請求項１】
第１主面、前記第１主面の反対側の第２主面、及び、開口部を有する基板と、
前記第１主面に設けられた蛍光体層と、
前記第２主面に設けられたフィンとを備え、
前記フィンは、前記蛍光体層よりも前記基板の中心寄りに位置し、
前記開口部は、前記蛍光体層と前記フィンとの間に位置する
蛍光体ホイール。
【請求項２】
前記基板は、円盤状であり、
前記蛍光体層は、前記基板の周方向に沿う形状であり、
前記蛍光体ホイールは、前記基板の中心を囲むように円環状に配置された複数の前記フィンを備え、
前記開口部は、複数の前記フィンを囲むように円環状に配置された複数の開口を含む
請求項１に記載の蛍光体ホイール。
【請求項３】
前記複数の開口のそれぞれは、前記基板の径方向に長い形状を有する
請求項２に記載の蛍光体ホイール。
【請求項４】
前記開口部は、第１開口部と、前記第１開口部の周囲を囲む第２開口部とを有し、
前記第１開口部に含まれる開口と、前記第２開口部に含まれる開口とは、前記基板の径方向において並ばない
請求項２または３に記載の蛍光体ホイール。
【請求項５】
前記蛍光体ホイールは、さらに、前記第２主面に立設された板材であって、前記開口部と前記蛍光体層との間に位置する板材を備える
請求項１〜４のいずれか１項に記載の蛍光体ホイール。
【請求項６】
前記第２主面のうち、前記蛍光体層と重なる部分には、凹凸構造が設けられる
請求項１〜５のいずれか１項に記載の蛍光体ホイール。
【請求項７】
前記フィンは、前記基板の回転に応じて当該フィンよりも外側に風を送る
請求項１〜６のいずれか１項に記載の蛍光体ホイール。
【請求項８】
請求項１〜７のいずれか１項に記載の蛍光体ホイールと、
前記蛍光体ホイールを回転させるモータと、
前記蛍光体層にレーザ光を照射するレーザ光源と、
前記レーザ光源によって照射されたレーザ光に応じて前記蛍光体層から発せられる光を映像信号に基づいて変調する光変調素子と、
前記光変調素子によって変調された光を投射する投射レンズとを備える
投射型映像表示装置。
【発明の詳細な説明】
【技術分野】
【０００１】
本開示は、投写型映像表示装置の光源等として使用される蛍光体ホイールに関する。
【背景技術】
【０００２】
レーザ光源からレーザ光（励起光）が照射されることによって発光する蛍光体ホイールが採用された投射型映像表示装置が知られている。蛍光体ホイールは、蛍光体層にレーザ光が照射されている間、回転軸回りに回転される。これにより、レーザ光の照射による発熱によって蛍光体粒子が劣化することが抑制される。【０００３】
蛍光体ホイールの放熱性を高める技術として、特許文献１には、表面に蛍光体層を有する基板の裏面にナノメートルオーダからサブミクロメートルオーダの幅の凹凸構造を設ける技術が開示されている。
【先行技術文献】
【特許文献】
【０００４】
【特許文献１】特開２０１３−６９５４７号公報
【発明の概要】
【発明が解決しようとする課題】
【０００５】
本開示は、蛍光体層を効果的に冷却することができる蛍光体ホイールを提供する。
【課題を解決するための手段】
【０００６】
本開示における蛍光体ホイールは、第１主面、前記第１主面の反対側の第２主面、及び、開口部を有する基板と、前記第１主面に設けられた蛍光体層と、前記第２主面に設けられたフィンとを備え、前記フィンは、前記蛍光体層よりも前記基板の中心寄りに位置し、前記開口部は、前記蛍光体層と前記フィンとの間に位置する。
【発明の効果】
【０００７】
本開示における蛍光体ホイールは、蛍光体層を効果的に冷却することができる。
【図面の簡単な説明】
【０００８】
【図１】図１は、実施の形態１に係る蛍光体ホイールを第１主面側から見たときの斜視図である。
【図２】図２は、実施の形態１に係る蛍光体ホイールを第２主面側から見たときの斜視図である。
【図３】図３は、実施の形態１に係る蛍光体ホイールの分解斜視図である。
【図４】図４は、実施の形態１に係る蛍光体ホイールの模式断面図である。
【図５】図５は、変形例１に係る蛍光体ホイールを第１主面側から見たときの斜視図である。
【図６】図６は、変形例１に係る蛍光体ホイールを第２主面側から見たときの斜視図である。
【図７】図７は、変形例２に係る蛍光体ホイールを第２主面側から見たときの斜視図である。
【図８】図８は、変形例２に係る蛍光体ホイールの模式断面図である。
【図９】図９は、変形例３に係る蛍光体ホイールを第２主面側から見たときの斜視図である。
【図１０】図１０は、変形例４に係る蛍光体ホイールを第１主面側から見たときの斜視図である。
【図１１】図１１は、実施の形態２に係る投射型映像表示装置の光学系を示す図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために提供されるのであって、これらにより請求の範囲に記載の主題を限定することは意図されていない。
【００１１】
（実施の形態１）
［構成］
まず、実施の形態１に係る蛍光体ホイールの構造について説明する。図１は、実施の形態１に係る蛍光体ホイールを第１主面側から見たときの斜視図である。図２は、実施の形態１に係る蛍光体ホイールを第２主面側から見たときの斜視図である。図３は、実施の形態１に係る蛍光体ホイールの分解斜視図である。なお、以下の実施の形態では、仮想的な回転軸Ｊ（図３で図示）を中心とした円の径方向を径方向ｒ（図１で図示）、回転軸Ｊを中心とした円の周方向を周方向θ（図３で図示）と記載する。
【００１２】
図１〜図３に示されるように、蛍光体ホイール１０は、基板２０と、ファン部材３０とを備える。
【００１３】
蛍光体ホイール１０は、投射型映像表示装置の光源等に使用される光学部材である。蛍光体ホイール１０が備える蛍光体層４０は、レーザ光が照射されることにより発光する。このとき、蛍光体層４０の一点に集中的にレーザ光が照射されることを避けるため、蛍光体ホイール１０は、蛍光体層４０にレーザ光が照射されている間、モータによって、回転軸Ｊを中心に回転する。これにより、レーザ光の照射による発熱によって蛍光体層４０に含まれる蛍光体粒子が劣化することが抑制される。
【００１４】
基板２０は、回転軸Ｊを中心とした円盤状の基板である。言い換えれば、基板２０の平面視における形状は、円形である。なお、平面視における形状とは、言い換えれば、基板２０に垂直な方向から見た場合の形状である。基板２０の直径は、例えば、８ｃｍ程度であるが、特に限定されない。基板２０は、第１主面２１、第１主面２１の反対側の第２主面２２、及び、開口部２３を有する。
【００１５】
また、基板２０の中央には、主開口２４が設けられ、主開口２４にはモータ（図１〜図３で図示せず）が有するロータが接続される。基板２０の中心（中心位置）には、回転軸Ｊが通り、基板２０は、モータによって回転軸Ｊ回りに回転される。基板２０は、例えば、アルミニウムまたはステンレスなどの熱伝導性の良好な金属によって形成される。また、基板２０としてサファイア基板などが用いられてもよい。
【００１６】
基板２０の第１主面２１には、蛍光体層４０が設けられる。蛍光体層４０は、多数の黄色蛍光体粒子を含む樹脂材料からなる。黄色蛍光体粒子は、例えば、ＹＡＧ系の黄色蛍光体粒子である。樹脂材料の基材は、例えば、透光性及び熱硬化性を有するシリコーン樹脂である。蛍光体層４０は、このような樹脂材料が基板２０の第１主面２１にスクリーン印刷された後、加熱炉で加熱硬化されることによって形成される。なお、図１〜図３では図示されないが、基板２０の第１主面２１と蛍光体層４０との間には、反射膜が設けられてもよい。
【００１７】
蛍光体層４０は、平面視において、円盤状の基板２０の周方向θに沿う円環状である。蛍光体層４０は、第１主面２１の周縁に設けられることが望ましい。また、実施の形態１では、蛍光体層４０の径方向ｒにおける幅は、一定である。なお、基板２０が円盤状の基板ではない場合にも、蛍光体層４０は円環状に設けられる。
【００１８】
基板２０の第２主面２２の中央には、ファン部材３０が取り付けられる。ファン部材３０は、複数のフィン３１を有する。ファン部材３０は、円盤状の基板であり、当該基板のうち、部分的に切り起こされた部分がフィン３１となる。つまり、複数のフィン３１は、基板２０の第２主面２２に立設されている。複数のフィン３１の形状は、例えば、略矩形状（略台形状）であるが、特に限定されない。
【００１９】
複数のフィン３１は、蛍光体層４０よりも基板２０の中心寄りに位置する。言い換えれば、複数のフィン３１は、蛍光体層４０に囲まれる。複数のフィン３１は、基板２０の中心（回転軸Ｊ）を囲むように、周方向θに沿って円環状に配置される。
【００２０】
ファン部材３０は、例えば、ネジまたは接着剤などの固定部材によって第２主面２２に固定される。ファン部材３０は、モータによって基板２０と一体で回転され、複数のフィン３１のそれぞれは、基板２０の回転に応じて当該フィン３１よりも外側（遠心方向）に風を送る。言い換えれば、複数のフィン３１のそれぞれは、開口部２３側に向けて風を送る。このように、ファン部材３０は、いわゆる遠心ファンとして機能する。複数のフィン３１によって生じる風（気流）は、蛍光体層４０の冷却に用いられる。
【００２１】
ファン部材３０は、例えば、ステンレスなどの金属の板材が、切り起こし加工されることにより形成される。なお、フィン３１の径方向ｒに対する角度、及び、フィン３１の第２主面２２に対する角度は、外側に効果的に風を送ることができるように、経験的または実験的に定められればよく、特に限定されない。
【００２２】
また、開口部２３は、基板２０のうち、複数の開口２３ａが設けられた円環状の部分（領域）である。つまり、開口部２３には、複数の開口２３ａが含まれる。複数の開口２３ａのそれぞれは、基板２０を貫通する貫通孔であり、複数のフィン３１が送る風が通る通気孔である。複数の開口２３ａは、複数のフィン３１（ファン部材３０）を囲むように周方向θに沿って円環状に配置される。なお、複数の開口２３ａがランダムに配置されると、蛍光体ホイール１０の回転が安定せず、異音等が生じる原因になる。このため、複数の開口２３ａは等間隔に配置される。
【００２３】
［効果等］
開口部２３は、蛍光体層４０とフィン３１との間に位置する。以下、このような配置によって得られる効果について説明する。図４は、蛍光体ホイール１０の模式断面図である。なお、図４では、モータ５０も模式的に示されている。
【００２４】
上述のように、蛍光体層４０は、基板２０の第１主面２１に設けられ、一方で、複数のフィン３１のそれぞれは、基板２０の第２主面２２に設けられている。したがって、開口部２３が無い場合には、複数のフィン３１は、第２主面２２に送風することは可能であるが、第１主面２１に送風することができない。つまり、開口部２３が無い場合には、複数のフィン３１は、第１主面２１に設けられた蛍光体層４０を送風により直接冷却することができない。
【００２５】
これに対し、蛍光体ホイール１０においては、蛍光体層４０とフィン３１との間に開口部２３が位置する。そうすると、図４に示されるように、複数のフィン３１によって外向きに生じる風を、複数の開口２３ａを通じて蛍光体層４０に向けることができる。つまり、複数のフィン３１によって蛍光体層４０を直接空冷することができる。
【００２６】
また、蛍光体ホイール１０を用いた投射型映像表示装置の小型化の観点から、蛍光体ホイール１０の第１主面２１には、なるべく部材が配置されないほうがよい。蛍光体ホイール１０では、フィン３１が第２主面２２に設けられるため、蛍光体ホイール１０を用いた投射型映像表示装置の小型化と、蛍光体層４０の冷却との両方を実現することができる。
【００２７】
さらに、開口部２３が設けられることにより、蛍光体ホイール１０が軽量化される。これにより、モータ５０の負荷が軽くなる効果が得られる。
【００２８】
ところで、複数の開口２３ａの形状及び配置によっては、蛍光体層４０の放熱性が低下してしまう場合がある。例えば、複数の開口２３ａの総開口面積が大きすぎると、蛍光体層４０から基板２０の中心に向かう放熱経路が狭くなるため、放熱性が悪くなる場合がある。
【００２９】
これに対し、蛍光体ホイール１０では、複数の開口２３ａのそれぞれは、基板２０の径方向ｒに長い形状を有する。複数の開口２３ａのそれぞれは、具体的には、径方向ｒに長いレーストラック形状であるが、径方向ｒに長い楕円形または長円形であってもよいし、径方向ｒに長い矩形であってもよい。径方向ｒに長い形状は、言い換えれば、周方向θに短い形状である。
【００３０】
このように、複数の開口２３ａのそれぞれが基板２０の径方向ｒに長い形状であれば、上述の図１において破線矢印で示されるように、蛍光体層４０から基板２０の中心に向かう放熱経路を確保しやすい。したがって、蛍光体層４０から基板２０への放熱性の悪化を抑制することができる。
【００３１】
［変形例１］
上記実施の形態１で説明された開口部２３における開口２３ａの配置、及び、開口２３ａの形状は、一例であり、特に限定されない。以下、開口部における開口の配置、及び、開口の形状が蛍光体ホイール１０と異なる、変形例１に係る蛍光体ホイールについて説明する。図５は、変形例１に係る蛍光体ホイールを第１主面２１側から見たときの斜視図である。図６は、変形例１に係る蛍光体ホイールを第２主面２２側から見たときの斜視図である。なお、以下の変形例１の説明では、蛍光体ホイール１０との相違点を中心に説明が行われ、蛍光体ホイール１０と重複する説明については省略される。
【００３２】
図５及び図６に示されるように、変形例１に係る蛍光体ホイール１０ａが備える開口部は、第１開口部２５と、第１開口部２５を囲む第２開口部２６とを有する。
【００３３】
第１開口部２５は、基板２０のうち、複数の開口２５ａが設けられた領域である。つまり、第１開口部２５には、複数の開口２５ａが含まれる。複数の開口２５ａは、複数のフィン３１を囲むように周方向θに沿って円環状に配置される。第１開口部２５は、第２開口部２６よりも内側（内周側）に位置する。開口２５ａの形状は、円形状である。
【００３４】
第２開口部２６は、基板２０のうち、複数の開口２６ａが設けられた領域である。つまり、第２開口部２６には、複数の開口２６ａが含まれる。複数の開口２６ａは、複数の開口２５ａの周囲を囲むように周方向θに沿って円環状に配置される。つまり、第２開口部２６は、第１開口部２５よりも外側（外周側）に位置する。開口２６ａの形状は、開口２５ａと同じ大きさの円形状である。なお、開口２５ａの形状及び大きさと、開口２６ａの形状及び大きさとは異なってもよい。また、開口２５ａの形状及び開口２６ａの形状のそれぞれは、径方向ｒに長い形状であってもよい。
【００３５】
このような蛍光体ホイール１０ａにおいても、蛍光体層４０とフィン３１との間に開口部（第１開口部２５及び第２開口部２６）が位置する。そうすると、複数のフィン３１によって外向きに生じる風を、複数の開口２５ａ及び複数の開口２６ａを通じて蛍光体層４０に向けることができる。つまり、複数のフィン３１によって蛍光体層４０を直接空冷することができる。
【００３６】
また、上述のように、複数の開口２５ａ及び複数の開口２６ａの形状及び配置によっては、蛍光体層４０の放熱性が低下してしまう場合がある。これに対し、蛍光体ホイール１０ａでは、第１開口部２５に含まれる開口２５ａと、第２開口部２６に含まれる開口２６ａとは、基板２０の径方向ｒにおいて並ばない（開口２６ａは、開口２５ａの間に位置する）。これにより、図５において破線矢印で示されるように、蛍光体層４０から基板２０の中心に向かう放熱経路を確保しやすい。したがって、蛍光体層４０から基板２０への放熱性の悪化を抑制することができる。
【００３７】
［変形例２］
開口部に含まれる開口は、基板２０の切り起こしによって形成されてもよい。以下、このような変形例２に係る蛍光体ホイールについて説明する。図７は、変形例２に係る蛍光体ホイールを第２主面２２側から見たときの斜視図である。なお、以下の変形例２の説明では、蛍光体ホイール１０との相違点を中心に説明が行われ、蛍光体ホイール１０と重複する説明については省略される。
【００３８】
図７に示されるように、変形例２に係る蛍光体ホイール１０ｂが備える開口部２７は、基板２０のうち、複数の開口２７ａが設けられた領域である。開口部２７には、複数の開口２７ａが含まれる。複数の開口２７ａは、複数のフィン３１（ファン部材３０）を囲むように周方向θに沿って円環状に配置される。
【００３９】
複数の開口２７ａのそれぞれは、基板２０の一部が切り起こされることによって形成される。開口２７ａの形状は、短手方向が径方向ｒに沿う略矩形状（角丸矩形状）である。
【００４０】
なお、開口２７ａを形成するために、基板２０の一部はどの方向に切り起こされてもよいが、蛍光体ホイール１０ｂでは、基板２０の一部は外周側に向かって切り起こされる。そうすると、切り起こされた基板２０の一部である切り起こし部２８は、第２主面２２に立設され、開口部２７（開口２７ａ）と蛍光体層４０との間に位置する。切り起こし部２８の主面は、径方向ｒと交差する。以下、このような切り起こし部２８によって得られる効果について図８を参照しながら説明する。図８は、蛍光体ホイール１０ｂの模式断面図である。
【００４１】
図８に示されるように、複数のフィン３１によって外側に送られた風は、切り起こし部２８に当たって開口２７ａに導かれる。そうすると、複数のフィン３１によって外側に向かう風のうち、複数の開口２７ａを通じて第１主面２１に向かう風の量を増やすことができる。つまり、蛍光体層４０に向かう風の量を増やし、蛍光体層４０の冷却効果を高めることができる。
【００４２】
なお、このような効果は、蛍光体ホイール１０ｂが、第２主面２２に立設された板材であって、開口部２７と蛍光体層４０との間に位置する板材を備えることにより得られる。上述の切り起こし部２８は、このような板材の一例であり、このような板材は、基板２０の切り起こしにより形成される必要はない。例えば、基板２０とは別体の板材が基板２０に取り付けられてもよい。
【００４３】
［変形例３］
第２主面２２のうち、蛍光体層４０と重なる部分には、凹凸構造が設けられてもよい。以下、このような変形例３に係る蛍光体ホイールについて説明する。図９は、変形例３に係る蛍光体ホイールを第２主面２２側から見たときの斜視図である。なお、以下の変形例３の説明では、蛍光体ホイール１０との相違点を中心に説明が行われ、蛍光体ホイール１０と重複する説明については省略される。
【００４４】
図９に示されるように、変形例３に係る蛍光体ホイール１０ｃが備える基板２０の第２主面２２のうち、蛍光体層４０と重なる部分には、凹凸構造２９が設けられている。これにより、第２主面２２のうち、蛍光体層４０と重なる部分の表面積が増えるため、フィン３１によって外側に向かう風の一部が当該部分に当たったときの蛍光体層４０の冷却を促進することができる。なお、凹凸構造２９の具体的な態様（形状または深さなど）は、特に限定されない。
【００４５】
［変形例４］
蛍光体層は、円環状である必要はなく、一部が途切れていてもよい。蛍光体層は、基板２０の周方向θに沿う形状、つまり円弧状であればよい。また、蛍光体層に含まれる蛍光体粒子は、黄色蛍光体粒子に限定されず、赤色蛍光体粒子、または、緑色蛍光体粒子など、発光色が異なる他の蛍光体粒子であってもよい。以下、このような変形例４に係る蛍光体ホイールについて説明する。図１０は、変形例４に係る蛍光体ホイールを第１主面２１側から見たときの斜視図である。
【００４６】
図１０に示されるように、蛍光体ホイール１０ｄが備える基板２０の第１主面２１には、蛍光体層４０ａが設けられる。蛍光体層４０ａは、円環状ではなく、基板２０の周方向θに沿う長尺状、すなわち、部分円弧状である。
【００４７】
蛍光体層４０ａは、具体的には、赤色蛍光体層４０ｒと、緑色蛍光体層４０ｇとからなる。赤色蛍光体層４０ｒ及び緑色蛍光体層４０ｇは、いずれも円弧状であり、周方向θにおける端部同士が接続されている。
【００４８】
赤色蛍光体層４０ｒには、赤色蛍光体粒子が含まれる。赤色蛍光体粒子は、具体的には、ＣａＡｌＳｉＮ３：Ｅｕ２＋または、（Ｓｒ，Ｃａ）ＡｌＳｉＮ３：Ｅｕ２＋などである。緑色蛍光体層４０ｇには、緑色蛍光体粒子が含まれる。緑色蛍光体粒子は、具体的には、Ｙ３（Ａｌ，Ｇａ）５Ｏ１２：Ｃｅ３＋、または、Ｌｕ３Ａｌ５Ｏ１２：Ｃｅ３＋などである。
【００４９】
このような蛍光体ホイール１０ｄが投射型映像表示装置に用いられれば、当該投射型映像表示装置が備える光変調素子（映像素子）に赤色、緑色、及び、青色の光を時分割で入射させることができる。
【００５０】
なお、蛍光体ホイール１０ｄにおいては、蛍光体層４０ａの一部が途切れているが、開口部２３は、蛍光体層４０ａの一部が途切れていない場合と同じように形成される。
【００５１】
［実施の形態１のまとめ］
以上説明したように、蛍光体ホイール１０は、第１主面２１、第１主面２１の反対側の第２主面２２、及び、開口部２３を有する基板２０と、第１主面２１に設けられた蛍光体層４０と、第２主面２２に設けられたフィン３１とを備える。フィン３１は、蛍光体層４０よりも基板２０の中心寄りに位置し、開口部２３は、蛍光体層４０とフィン３１との間に位置する。なお、フィン３１は、基板２０の回転に応じて当該フィンよりも外側に風を送る。
【００５２】
これにより、フィン３１によって外向きに生じる風を、開口部２３を通じて第１主面２１に設けられた蛍光体層４０に向けることができる。つまり、フィン３１によって蛍光体層４０を直接空冷することができる。言い換えれば、蛍光体ホイール１０は、蛍光体層４０を効果的に冷却することができる。
【００５３】
また、基板２０は、円盤状であってもよい。蛍光体層４０は、基板２０の周方向θに沿う形状であってもよい。蛍光体ホイール１０は、基板２０の中心を囲むように円環状に配置された複数のフィン３１を備えてもよい。開口部２３は、複数のフィン３１を囲むように円環状に配置された複数の開口２３ａを含んでもよい。
【００５４】
これにより、複数のフィン３１によって外向きに生じる風を、複数の開口２３ａを通じて蛍光体層４０に向けることができる。つまり、複数のフィン３１によって蛍光体層４０を直接空冷することができる。言い換えれば、蛍光体ホイール１０は、蛍光体層４０を効果的に冷却することができる。
【００５５】
また、複数の開口２３ａのそれぞれは、基板２０の径方向に長い形状を有してもよい。
【００５６】
これにより、蛍光体層４０から基板２０の中心に向かう放熱経路を確保しやすくなる。したがって、蛍光体層４０から基板２０への放熱性の悪化を抑制することができる。
【００５７】
また、蛍光体ホイール１０ａのように、開口部は、第１開口部２５と、第１開口部２５の周囲を囲む第２開口部２６とを有し、第１開口部２５に含まれる開口２５ａと、第２開口部２６に含まれる開口２６ａとは、基板２０の径方向ｒにおいて並ばなくてもよい。
【００５８】
これにより、蛍光体層４０から基板２０の中心に向かう放熱経路を確保しやすくなる。したがって、蛍光体層４０から基板２０への放熱性の悪化を抑制することができる。
【００５９】
また、蛍光体ホイール１０ｂは、第２主面２２に立設された切り起こし部２８であって、開口部２７と蛍光体層４０との間に位置する切り起こし部２８を備えてもよい。切り起こし部２８は、板材の一例である。
【００６０】
これにより、複数のフィン３１によって外側に送られた風は、切り起こし部２８に当たって開口２７ａに導かれるため、複数のフィン３１によって外側に向かう風のうち、複数の開口２７ａを通じて第１主面２１に向かう風の量を増やすことができる。つまり、蛍光体層４０に向かう風の量を増やし、蛍光体層４０の冷却効果を高めることができる。
【００６１】
また、蛍光体ホイール１０ｃのように、第２主面２２のうち、蛍光体層４０と重なる部分には、凹凸構造２９が設けられてもよい。
【００６２】
これにより、第２主面２２のうち、蛍光体層４０と重なる部分の表面積が増えるため、フィン３１によって外側に向かう風の一部が当該部分に当たったときの蛍光体層４０の冷却を促進することができる。
【００６３】
（実施の形態２）
［構成］
実施の形態２では、実施の形態１に係る蛍光体ホイール１０を備える投射型映像表示装置について説明する。図１１は、実施の形態２に係る投射型映像表示装置の光学系を示す図である。
【００６４】
実施の形態２に係る投射型映像表示装置３００は、例えば、２００００ルーメン程度の光を投射することができる高輝度タイプのプロジェクタである。投射型映像表示装置３００は、具体的には、プロジェクションマッピングなどに用いられる。なお、投射型映像表示装置３００は、家庭用の低輝度タイプのプロジェクタであってもよい。
【００６５】
図１１に示されるように、投射型映像表示装置３００は、青色レーザダイオード１０１ａ、１０１ｂ、１０１ｃと、コリメートレンズ１０２ａ、１０２ｂ、１０２ｃと、レンズ１０３と、レンズ１０４と、拡散板１０５とを備える。投射型映像表示装置３００は、ダイクロイックミラー１０６と、レンズ１０７と、レンズ１０８と、ロッドインテグレータ１１６とを備える。投射型映像表示装置３００は、青色レーザダイオード２０１ａ、２０１ｂと、コリメートレンズ２０２ａ、２０２ｂと、レンズ２０３と、拡散板２０４と、レンズ２０５とを備える。投射型映像表示装置３００は、レンズ３０８と、レンズ３０９と、ミラー３１０と、ミラー３１１と、光変調素子３１２と、投射レンズ３１３とを備える。
【００６６】
また、投射型映像表示装置３００は、上述の蛍光体ホイール１０と、蛍光体ホイール１０を回転させるモータ５０とを備える。モータ５０は、例えば、アウターロータ型のモータであるが、特に限定されない。なお、投射型映像表示装置３００は、蛍光体ホイール１０に代えて、蛍光体ホイール１０ａ〜１０ｄのいずれかを備えてもよい。
【００６７】
青色レーザダイオード１０１ａ、１０１ｂ、１０１ｃは、レーザ光源の一例であって、蛍光体ホイール１０が備える蛍光体層４０を励起するための青色光を出射する。言い換えれば、青色レーザダイオード１０１ａ、１０１ｂ、１０１ｃは、蛍光体層４０にレーザ光を照射する。青色レーザダイオード１０１ａ、１０１ｂ、１０１ｃが出射した青色光は、コリメートレンズ１０２ａ、１０２ｂ、１０２ｃでそれぞれコリメートされた後、アフォーカル系を構成するレンズ１０３及びレンズ１０４で収束される。レンズ１０３及びレンズ１０４で収束された青色光は、拡散板１０５に入射することによって拡散され、ダイクロイックミラー１０６に入射する。
【００６８】
ダイクロイックミラー１０６は、青色光を透過し、青色光以外の発光色を有する光を反射する特性を有する。したがって、拡散板１０５からダイクロイックミラー１０６に入射した青色光は、ダイクロイックミラーを透過し、レンズ１０７及びレンズ１０８をさらに透過した後、蛍光体ホイール１０の蛍光体層４０に入射する。
【００６９】
このとき、蛍光体ホイール１０は、モータ５０によって回転軸Ｊ回りに回転されている。したがって、蛍光体層４０の一点に集中的に青色光が照射されることが回避され、青色光の照射による発熱によって蛍光体層４０に含まれる蛍光体粒子が劣化することが抑制される。
【００７０】
蛍光体層４０中の黄色蛍光体粒子は、青色光によって励起され黄色光を発する。黄色光は、基板２０の第１主面２１と蛍光体層４０との間に設けられた反射膜によって反射され、ダイクロイックミラー１０６に入射する。
【００７１】
上述のように、ダイクロイックミラー１０６は、青色光以外の発光色を有する光を反射する。また、ダイクロイックミラー１０６は、入射光の光軸に対して４５度傾斜して配置されている。したがって、ダイクロイックミラー１０６に入射した黄色光は、反射されて９０度曲がり、レンズ１１５に入射した後、ロッドインテグレータ１１６に入射する。
【００７２】
一方で、青色レーザダイオード２０１ａ、２０１ｂは、青色光をそれぞれ出射し、出射された青色光は、コリメートレンズ２０２ａ、２０２ｂでそれぞれコリメートされる。コリメートされた青色光は、レンズ２０３によって集光された後、拡散板２０４によって略平行化される。略平行化された青色光は、レンズ２０５、ダイクロイックミラー１０６、及び、レンズ１０７をこの順に透過した後、ロッドインテグレータ１１６に入射する。
【００７３】
このように、ロッドインテグレータ１１６には、黄色光及び青色光が混ざることによって得られる白色光が入射する。なお、ロッドインテグレータ１１６に代えて、矩形状のレンズからなるレンズアレイが用いられてもよい。
【００７４】
ロッドインテグレータ１１６から出射した光は、リレー光学系を構成するレンズ３０８及びレンズ３０９を通過した後、ミラー３１０、及び、ミラー３１１で反射されて光変調素子３１２に入射する。
【００７５】
光変調素子３１２は、青色レーザダイオード１０１ａ、１０１ｂ、１０１ｃによって照射されたレーザ光に応じて蛍光体層４０から発せられる光を映像信号に基づいて変調する。変調された光は、投射レンズ３１３に入射する。投射レンズ３１３は、光変調素子３１２によって変調された光を、例えば、スクリーンに投射する。この結果、スクリーンに映像が表示される。
【００７６】
なお、図１１に示される光学系では、光変調素子３１２として、マイクロミラーアレイ、または、反射型液晶パネル（ＬＣＯＳ：Ｌｉｑｕｉｄ  Ｃｒｙｓｔａｌ  Ｏｎ  Ｓｉｌｉｃｏｎ）などの反射型の映像素子が用いられている。しかしながら、光変調素子３１２としては、透過型液晶パネルなどの透過型の映像素子が用いられてもよい。
【００７７】
次に、投射型映像表示装置３００の放熱構造について説明する。投射型映像表示装置３００は、主として光学系が収容される第１筐体３０１と、蛍光体ホイール１０が収容される第２筐体３０２と、第３筐体３０３を備える。第３筐体３０３は、第２筐体３０２と、第２筐体３０２を冷却するための冷却ファン３０４ａ、３０４ｂとを収容する。
【００７８】
蛍光体ホイール１０の周辺は発熱量が多いため、蛍光体ホイール１０は、第２筐体３０２に収容されることによって他の部品と隔離されている。これにより、冷媒である外気の温度と第２筐体３０２内の温度との差を大きくして熱交換効率の向上を図っている。第２筐体３０２の側面（第２筐体３０２のうち、蛍光体ホイール１０の側方）には、各々が複数の放熱フィンを有するヒートシンク３１４、３１５が設けられている。
【００７９】
蛍光体ホイール１０がモータ５０によって回転軸Ｊ回りに回転されると、ファン部材３０が有する複数のフィン３１によって、蛍光体ホイール１０の側方（遠心方向）に風が送られる。このような風を冷やして第２筐体３０２内の温度を下げるために、ヒートシンク３１４、３１５は、蛍光体ホイール１０の側方に配置されるとよい。
【００８０】
第２筐体３０２の側方には、冷却ファン３０４ａ、３０４ｂが設けられており、この冷却ファン３０４ａ、３０４ｂは、ヒートシンク３１４、３１５にそれぞれ風を送る。これにより、ヒートシンク３１４、３１５による熱交換効率が向上される。
【００８１】
なお、投射型映像表示装置３００を小型化するために、第２筐体３０２はなるべく小さくされるほうがよい。そうすると、図１１に示されるように、蛍光体ホイール１０の蛍光体層４０（第１主面２１）と、第２筐体３０２の内面とを近づける必要がある。このため、蛍光体ホイール１０では、基板２０の第２主面２２にファン部材３０が配置される。そして、このようなファン部材３０の配置において、蛍光体層４０を効果的に冷却するために、基板２０に開口部２３が設けられている。
【００８２】
［実施の形態２のまとめ］
以上説明したように、投射型映像表示装置３００は、蛍光体ホイール１０と、蛍光体ホイール１０を回転させるモータ５０と、蛍光体層４０にレーザ光を照射する青色レーザダイオード１０１ａ、１０１ｂ、１０１ｃとを備える。また、投射型映像表示装置３００は、青色レーザダイオード１０１ａ、１０１ｂ、１０１ｃによって照射されたレーザ光に応じて蛍光体層４０から発せられる光を映像信号に基づいて変調する光変調素子３１２と、光変調素子３１２によって変調された光を投射する投射レンズ３１３とを備える。青色レーザダイオード１０１ａ、１０１ｂ、１０１ｃは、レーザ光源の一例である。
【００８３】
このような投射型映像表示装置３００は、蛍光体ホイール１０が備える蛍光体層４０を効果的に冷却することができる。
【００８４】
（全体のまとめ）
以上のように、本出願において開示する技術の例示として、実施の形態１〜２を説明した。しかしながら、本開示における技術は、これに限定されず、適宜、変更、置き換え、付加、省略などを行った実施の形態にも適用可能である。また、上記実施の形態１〜２で説明した各構成要素を組み合わせて、新たな実施の形態とすることも可能である。
【００８５】
また、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８６】
また、上述の実施の形態は、本開示における技術を例示するためのものであるから、請求の範囲またはその均等の範囲において種々の変更、置き換え、付加、省略などを行うことができる。
【産業上の利用可能性】
【００８７】
本開示は、蛍光体ホイール、及び、蛍光体ホイールを備える投写型映像表示装置に適用可能である。
【符号の説明】
【００８８】
１０、１０ａ、１０ｂ、１０ｃ、１０ｄ  蛍光体ホイール
２０  基板
２１  第１主面
２２  第２主面
２３、２７  開口部
２３ａ、２５ａ、２６ａ、２７ａ  開口
２４  主開口
２５  第１開口部
２６  第２開口部
２８  切り起こし部
２９  凹凸構造
３０  ファン部材
３１  フィン
４０、４０ａ  蛍光体層
４０ｇ  緑色蛍光体層
４０ｒ  赤色蛍光体層
５０  モータ
１０１ａ、１０１ｂ、１０１ｃ、２０１ａ、２０１ｂ  青色レーザダイオード
１０２ａ、１０２ｂ、１０２ｃ、２０２ａ、２０２ｂ  コリメートレンズ
１０３、１０４、１０７、１０８、１１５、２０３、２０５、３０８、３０９  レンズ
１０５、２０４  拡散板
１０６  ダイクロイックミラー
１１６  ロッドインテグレータ
３００  投射型映像表示装置
３０１  第１筐体
３０２  第２筐体
３０３  第３筐体
３０４ａ、３０４ｂ  冷却ファン
３１０、３１１  ミラー
３１２  光変調素子
３１３  投射レンズ
３１４、３１５  ヒートシンク
【図１】
2017154048.tif 000003
【図２】
2017154048.tif 000004
【図３】
2017154048.tif 000005
【図４】
2017154048.tif 000006
【図５】
2017154048.tif 000007
【図６】
2017154048.tif 000008
【図７】
2017154048.tif 000009
【図８】
2017154048.tif 000010
【図９】
2017154048.tif 000011
【図１０】
2017154048.tif 000012
【図１１】
2017154048.tif 000013
【国際調査報告】
2017154048.tif 000014
2017154048.tif 000015
2017154048.tif 000016
2017154048.tif 000017